(57)【要約】【課題】  インジケータ部へのインジケータレンズの誤組付けを確実に防止できるインジケータレンズの組付構造を提供すること。【解決手段】  インジケータレンズの組付構造は、インジケータ照明光源部１１を有するインジケータ部１０にインジケータレンズ１２を組付けるインジケータレンズの組付構造である。インジケータ部１０は、少なくとも一対の第１インジケータ部１３と第２インジケータ部１４からなる。これら第１インジケータ部１３および第２インジケータ部１４には一対の位置決め突起１５，１６と一対の位置決め突起１７，１８とがそれぞれ互いにオフセット配置されている。インジケータレンズ１２は、少なくとも、第１インジケータ部１３に組付けられる第１インジケータレンズ１９と、第２インジケータ部１４に組付けられる第２インジケータレンズ２０と、からなる。これら第１，第２インジケータレンズ１９，２０には第１，第２インジケータ部１３，１４の位置決め突起１５，１６，１７，１８の位置に対応して位置決め孔２１，２２，２３，２４がそれぞれ形成されている。【選択図】      図１
2005127944.tif 000002
【特許請求の範囲】
【請求項１】
インジケータ照明光源部をそれぞれ有する第１インジケータ部と第２インジケータ部とに第１インジケータレンズと第２インジケータレンズとをそれぞれ組付けるインジケータレンズの組付構造であって、
前記第１インジケータ部および前記第２インジケータ部それぞれに互いにオフセット配置された複数の位置決め突起と、
前記第１インジケータレンズおよび前記第２インジケータレンズそれぞれに前記第１インジケータ部および前記第２インジケータ部の前記位置決め突起に対応してそれぞれ形成された複数の位置決め孔と、
を備えていることを特徴とするインジケータレンズの組付構造。
【請求項２】
前記インジケータレンズが、複数の意匠透光部を備えた表示部を有し、そして前記インジケータ照明光源部が、前記表示部に対応して複数設けられていることを特徴とする請求項１に記載したインジケータレンズの組付構造。
【請求項３】
前記第１インジケータ部および前記第２インジケータ部の一方に形成された前記位置決め突起が、一対であって且つ、当該第１インジケータ部および第２インジケータ部の一方の中心からそれぞれ異なる距離離れた位置に配置され、そして前記第１インジケータ部および前記第２インジケータ部の他方に形成された前記位置決め突起が、一対であって且つ、前記第１インジケータ部および前記第２インジケータ部の一方の中心に対するその位置決め突起それぞれの位置の距離とは異なるように、前記第１インジケータ部および前記第２インジケータ部の他方の中心からそれぞれ異なる距離離れた位置に配置されていることを特徴とする請求項１または請求項２に記載したインジケータレンズの組付構造。
【請求項４】
前記第１インジケータ部および前記第２インジケータ部の一方の前記位置決め突起が単一直線上に配置されており、そして前記第１インジケータ部および前記第２インジケータ部の他方の前記位置決め突起が前記単一直線から離れた位置に配置されていることを特徴とする請求項３に記載したインジケータレンズの組付構造。
【請求項５】
前記第１インジケータ部および前記第２インジケータ部が前記第１インジケータレンズおよび前記第２インジケータレンズを収容するレンズ組付用凹部を有し、そして前記位置決め突起が当該レンズ組付用凹部に配置されていることを特徴とする請求項１〜請求項４のいずれか一項に記載したインジケータレンズの組付構造。
【請求項６】
前記レンズ組付用凹部それぞれの側部に位置決め補助用の切欠受が配置されており、そして前記第１インジケータレンズおよび前記第２インジケータレンズに当該切欠受に一致挿着される切欠が形成されていることを特徴とする請求項１〜請求項５のいずれか一項に記載したインジケータレンズの組付構造。
【発明の詳細な説明】
【技術分野】
【０００１】
本発明は、車両用計器におけるインジケータレンズの組付構造に関する。
【背景技術】
【０００２】
インジケータレンズの組付構造の一例が図３に示される。図３に示すインジケータレンズの組付構造は、文字板７７において回転計７１と一体に配置されるインジケータ部７２にインジケータレンズ７３が組み付けられており、このインジケータレンズ７３にインジケータバルブハウジング７４の上端との接触部を越えてインジケータ照明用バルブ７５に対向する位置まで延長した延長部７６を形成している（例えば、特許文献１参照）。
【０００３】
【特許文献１】特開平０８−２１９８１９号公報（第３−４頁、図１）
【０００４】
インジケータレンズの組付構造の他の一例が図４に示される。図４に示すインジケータレンズの組付構造では、右側インジケータ部８１が右側ハウジング８２に配置され、そしてこの右側インジケータ部８１に独立して、左側インジケータ部８３が左側ハウジング８４に配置される。そして、このインジケータレンズの組付構造では、右側インジケータ部８１に右側インジケータレンズ８５が組み付けられ、そして左側インジケータ部８３に、右側インジケータレンズ８５とは別体の左側インジケータレンズ８６が組み付けられる。
【０００５】
右側インジケータ部８１には、右側ハウジング８２の表面に対し凹んでいて左方側部に突起８７を有するレンズ組付用凹部８８が形成されている。また、右側インジケータ部８１の下方部には、４分割されたインジケータ照明光源部８９と、切欠き受９０と、が形成されている。また、レンズ組付用凹部８８上には、一対の位置決め突起９１，９１が形成されている。
【０００６】
右側インジケータレンズ８５は、その不透光本体の左方側部に凹部９２を有するとともに、その上方部に一対の穴９３，９３を有し、そしてその下方部に４種類の意匠透光部からなる表示部９４および切欠き９５を有する。
【０００７】
左側インジケータ部８３は、右側インジケータ部８１と同様に、突起９６、レンズ組付用凹部９７、インジケータ照明光源部９８、切欠き受９９、一対の位置決め突起１００，１００を有する。左側インジケータレンズ８６も、右側インジケータレンズ８５と同様に、その不透光本体に凹部１０１、一対の穴１０２，１０２、４種類の意匠透光部からなる表示部１０３、そして切欠き１０４を有する。
【０００８】
このようなインジケータレンズの組付構造においては、右側インジケータレンズ８５の凹部９２と切欠き９５とを、右側インジケータ部８１の突起８７と切欠き受９０とに合わせながら右側インジケータレンズ８５をレンズ組付用凹部８８内に挿入する。そして、右側インジケータレンズ８５の一対の穴９３，９３を、右側インジケータ部８１の一対の位置決め突起９１，９１に挿着することにより、右側インジケータレンズ８５が右側インジケータ部８１に組み付けられる。左側インジケータレンズ８６も、右側インジケータレンズ８５と同様に、左側インジケータ部８３に組み付けられる。
【０００９】
ところで、図４に示されるインジケータレンズの組付構造において、右側インジケータレンズ８５の表示部９４には、例えば、右ターンシグナル表示、充電警告表示、ブレーキ警告表示、およびリアフォグ表示といった４種類の意匠透光部が配置されており、これら４種類の意匠透光部が、４分割されたインジケータ照明光源部８９によってそれぞれ透過表示される。これとは異なり、左側インジケータレンズ８６の表示部１０３には、例えば、左ターンシグナル表示、ハイビーム表示、４ウェイフラッシャー表示、および半ドア警告表示といった４種類の意匠透光部が配置されており、これら４種類の意匠透光部が、４分割されたインジケータ照明光源部９８によってそれぞれ透過表示される。
【発明の開示】
【発明が解決しようとする課題】
【００１０】
ところが、図４のインジケータレンズの組付構造は、比較的薄い部材により成形された各インジケータレンズ８５，８６が、外形合わせによって組付けられる構造であるとともに、各位置決め突起９１，９１および１００，１００が対称に配置され、各穴９３，９３および１０２，１０２が対称に配置されているために、各インジケータレンズ８５，８６の組付けに際し、右側インジケータレンズ８５の凹部９２を左側インジケータ部８３の突起９６に合わせて右側インジケータレンズ８５の穴９３，９３を左側インジケータ部８３の位置決め突起１０２，１０２に挿入してしまったり、或いは、左側インジケータレンズ８６の凹部１０１を右側インジケータ部８１の突起８７に合わせて左側インジケータレンズ８６の穴１０２，１０２を右側インジケータ部８１の位置決め突起９１，９１に挿入してしまったりして、左右のインジケータレンズ８５，８６を間違えて組付けてしまう可能性が高い。このようにインジケータレンズ８５，８６を間違えて組付けても各インジケータレンズ８５，８６の切欠き９５，１０４は各レンズ組付用凹部８８，９７に挿入されずにはみ出るが、それを見落としてしまう可能性が高く、改善が求められる。
【００１１】
本発明は、上記事情に鑑みてなされたものであり、その目的は、インジケータ部へのインジケータレンズの誤組付けを確実に防止できるインジケータレンズの組付構造を提供することにある。
【課題を解決するための手段】
【００１２】
前述した目的を達成するため、本発明に係るインジケータレンズの組付構造は、請求項１に記載したように、
インジケータ照明光源部をそれぞれ有する第１インジケータ部と第２インジケータ部とに第１インジケータレンズと第２インジケータレンズとをそれぞれ組付けるインジケータレンズの組付構造であって、
前記第１インジケータ部および前記第２インジケータ部それぞれに互いにオフセット配置された複数の位置決め突起と、
前記第１インジケータレンズおよび前記第２インジケータレンズそれぞれに前記第１インジケータ部および前記第２インジケータ部の前記位置決め突起に対応してそれぞれ形成された複数の位置決め孔と、
を備えていることを特徴としている。
【００１３】
請求項１に記載の発明によれば、第１，第２インジケータ部それぞれに互いにオフセット配置された複数の位置決め突起が形成される。そして、第２インジケータ部の位置決め突起に対してオフセット配置された第１インジケータ部の位置決め突起が第１インジケータレンズの位置決め孔に挿入され、そして第１インジケータ部の位置決め突起に対してオフセット配置された第２インジケータ部の位置決め突起が第２インジケータレンズの位置決め孔に挿入される。従って、このインジケータレンズの組付構造においては、第１インジケータ部の位置決め突起の位置に対して第２インジケータレンズの位置決め孔の位置が一致せず、よって第１インジケータ部に第２インジケータレンズを組み込むことができず、また、第２インジケータ部の位置決め突起の位置に対して第１インジケータレンズの位置決め孔の位置が一致せず、よって第２インジケータ部に第１インジケータレンズを組み込むことができない。それ故、第１インジケータレンズが第１インジケータ部にのみ組付けられ、そして第２インジケータレンズが第２インジケータ部にのみ組付けられるので、誤組付けを確実に防止して品質の保証を図ることができる。これにより、インジケータ部へのインジケータレンズの誤組付けを確実に防止できることになる。
【００１４】
また、本発明に係るインジケータレンズの組付構造は、請求項２に記載したように、請求項１に記載したインジケータレンズの組付構造において、
前記インジケータレンズが、複数の意匠透光部を備えた表示部を有し、そして前記インジケータ照明光源部が、前記表示部に対応して複数設けられていることを特徴としている。
【００１５】
請求項２に記載の発明によれば、第１，第２インジケータレンズに異なる複数の意匠透光部からなる表示部を設けていても、第１インジケータレンズが第１インジケータ部にのみ組付けられ、そして第２インジケータレンズが第２インジケータ部にのみ組付けられるので、インジケータ照明光源部の点灯に伴って、異なった意匠透光部を透過表示してしまうことなく正規の意匠透光部を透過表示することができる。
【００１６】
また、本発明に係るインジケータレンズの組付構造は、請求項３に記載したように、請求項１または請求項２に記載したインジケータレンズの組付構造において、
前記第１インジケータ部および前記第２インジケータ部の一方に形成された前記位置決め突起が、一対であって且つ、当該第１インジケータ部および第２インジケータ部の一方の中心からそれぞれ異なる距離離れた位置に配置され、そして前記第１インジケータ部および前記第２インジケータ部の他方に形成された前記位置決め突起が、一対であって且つ、前記第１インジケータ部および前記第２インジケータ部の一方の中心に対するその位置決め突起それぞれの位置の距離とは異なるように、前記第１インジケータ部および前記第２インジケータ部の他方の中心からそれぞれ異なる距離離れた位置に配置されていることを特徴としている。
【００１７】
請求項３に記載の発明によれば、一方のインジケータ部の位置決め突起が中心から異なる距離離れた位置に配置され、そして他方のインジケータ部の位置決め突起が当該他方のインジケータ部の中心から一方のインジケータ部の位置決め突起とは異なる距離離れた位置に配置されることにより両者がオフセット配置されるため、このオフセット配置により、第１インジケータレンズが第１インジケータ部にのみ組付けられ、そして第２インジケータレンズが第２インジケータ部にのみ組付けられる。
【００１８】
また、本発明に係るインジケータレンズの組付構造は、請求項４に記載したように、請求項３に記載したインジケータレンズの組付構造において、
前記第１インジケータ部および前記第２インジケータ部の一方の前記位置決め突起が単一直線上に配置されており、そして前記第１インジケータ部および前記第２インジケータ部の他方の前記位置決め突起が前記単一直線から離れた位置に配置されていることを特徴としている。
【００１９】
請求項４に記載の発明によれば、一方のインジケータ部の位置決め突起が中心から異なる距離離れた位置に配置され、そして他方のインジケータ部の位置決め突起が当該他方のインジケータ部の中心から一方のインジケータ部の位置決め突起とは異なる距離離れた位置に配置されるのに加えて、一方のインジケータ部の位置決め突起が単一直線上に配置され、そして他方のインジケータ部の位置決め突起が前記単一直線から離れた位置に配置されるため、これらのオフセット配置により、第１インジケータレンズが第１インジケータ部にのみ組付けられ、そして第２インジケータレンズが第２インジケータ部にのみ組付けられる。
【００２０】
また、本発明に係るインジケータレンズの組付構造は、請求項５に記載したように、請求項１〜請求項４のいずれか一項に記載したインジケータレンズの組付構造において、
前記第１インジケータ部および前記第２インジケータ部が前記第１インジケータレンズおよび前記第２インジケータレンズを収容するレンズ組付用凹部を有し、そして前記位置決め突起が当該レンズ組付用凹部に配置されていることを特徴としている。
【００２１】
請求項５に記載の発明によれば、第１，第２インジケータレンズの第１，第２インジケータ部への組付けを外形合わせで行なうことができるので、熟練を不要にし、容易に組付けることができる。
【００２２】
また、本発明に係るインジケータレンズの組付構造は、請求項６に記載したように、請求項１〜請求項５のいずれか一項に記載したインジケータレンズの組付構造において、
前記レンズ組付用凹部それぞれの側部に位置決め補助用の切欠受が配置されており、そして前記第１インジケータレンズおよび前記第２インジケータレンズに当該切欠受に一致挿着される切欠が形成されていることを特徴としている。
【００２３】
請求項６に記載の発明によれば、第１，第２インジケータレンズの第１，第２インジケータ部への外形合わせの組付けの際に、位置決め補助用の切欠受と切欠とが組み合わされることにより、更に確実な組付けを行なうことができる。
【発明の効果】
【００２４】
本発明によれば、インジケータ部へのインジケータレンズの誤組付けを確実に防止できる。
【００２５】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００２６】
以下、本発明に係る好適な実施形態を図面に基づいて詳細に説明する。図１は本発明に係るインジケータレンズの組付構造の一実施形態を示す外観斜視図、そして図２は図１の平面図である。
【００２７】
図１に示すように、本発明の一実施形態であるインジケータレンズの組付構造は、インジケータ照明光源部１１を有するインジケータ部１０にインジケータレンズ１２を組付けるインジケータレンズの組付構造である。インジケータ部１０は、少なくとも一対の第１インジケータ部１３と第２インジケータ部１４からなる。これら第１インジケータ部１３および第２インジケータ部１４には一対の位置決め突起１５，１６と一対の位置決め突起１７，１８とがそれぞれ互いにオフセット配置されている。インジケータレンズ１２は、少なくとも、第１インジケータ部１３に組付けられる第１インジケータレンズ１９と、第２インジケータ部１４に組付けられる第２インジケータレンズ２０と、からなる。これら第１，第２インジケータレンズ１９，２０には第１，第２インジケータ部１３，１４の位置決め突起１５，１６，１７，１８の位置に対応して位置決め孔２１，２２，２３，２４がそれぞれ形成されている。
【００２８】
インジケータレンズ１９，２０は、複数の意匠透光部を備えた表示部２５，２６を有し、インジケータ照明光源部１１が、表示部２５，２６に対応して複数設けられている。第１インジケータ部１３に形成された位置決め突起１５，１６は、第１インジケータ部１３の中心からそれぞれ異なる距離離れた位置に配置され、そして第２インジケータ部１４に形成された位置決め突起１７，１８は、第１インジケータ部１３の中心に対するその位置決め突起１５，１６それぞれの位置の距離とは異なるように、第２インジケータ部１４の中心からそれぞれ異なる距離離れた位置に配置されている。換言すれば、第２インジケータ部１４の位置決め突起１７，１８は、第２インジケータ部１４の中心からそれぞれ異なる距離離れた位置に配置され、そして第１インジケータ部１３の位置決め突起１５，１６は、第２インジケータ部１４の中心に対するその位置決め突起１７，１８それぞれの位置の距離とは異なるように、第１インジケータ部１３の中心からそれぞれ異なる距離離れた位置に配置されている。
【００２９】
また、第１インジケータ部１３の位置決め突起１５，１６は単一直線上に配置されており、そして第２インジケータ部１４の位置決め突起１７，１８は前記単一直線から離れた位置に配置されている。尚、その代わりに、第２インジケータ部１４の位置決め突起１７，１８を単一直線上に配置し、そして第１インジケータ部１３の位置決め突起１５，１６をその単一直線から離れた位置に配置してもよい。
【００３０】
また、第１，第２インジケータ部１３，１４が、第１，第２インジケータレンズ１９，２０を収容するレンズ組付用凹部２７，２８を有し、これらレンズ組付用凹部２７，２８の側壁（側部）２９，３０に位置決め補助用の切欠受３１，３２がそれぞれ配置されており、第１，第２インジケータレンズ１９，２０に切欠受３１，３２に一致挿着される切欠３３，３４がそれぞれ形成されている。
【００３１】
このように構成された本発明の一実施形態であるインジケータレンズの組付構造の詳細について以下に説明する。
【００３２】
第１インジケータ部１３は、左側ハウジング３５に配置されている。第１インジケータ部１３には、左側ハウジング３５の表面に対し凹んだレンズ組付用凹部２７が形成されており、このレンズ組付用凹部２７の上方部に一対の第１，第２位置決め突起１５，１６が突出形成されている。また、レンズ組付用凹部２７の下方部に４分割された複数の第１，第２，第３，第４インジケータ照明光源部３６，３７，３８，３９が形成され、そして左側壁２９の下方部に切欠受３１が形成されている。
【００３３】
レンズ組付用凹部２７は、第１インジケータレンズ１９の厚さよりも小さい深さを有する。また、第１，第２位置決め突起１５，１６は、レンズ組付用凹部２７の深さよりも大きい高さを有する。
【００３４】
第１，第２，第３，第４インジケータ照明光源部３６，３７，３８，３９は、円周上にほぼ９０度の範囲をもって上下左右に独立して配置されている。これら第１，第２，第３，第４インジケータ照明光源部３６，３７，３８，３９内には、ＬＥＤ等の光源４０，４１，４２，４３（図２参照）が収容されている。ここで、第１インジケータ照明光源部３６は、左ターンシグナル信号を点灯した際の表示に用いられ、第２インジケータ照明光源部３７は、ハイビームを点灯した際の表示に用いられ、第３インジケータ照明光源部３８は、４ウェイフラッシャーを点灯した際の表示に用いられ、そして第４インジケータ照明光源部３９は、半ドア警告回路が作動した際の表示に用いられる。
【００３５】
第１インジケータレンズ１９は、例えばポリカーボネイトのシート（即ち、ポリカシート）からなる樹脂製板部材により比較的薄く成形され、その不透光本体に意匠透光部を備えた表示部２５を有している。この第１インジケータレンズ１９は、その上方部に第１インジケータ部１３の第１，第２位置決め突起１５，１６に対応した第１，第２位置決め孔２１，２２を有し、そしてその下方部に表示部２５を有している。また、第１インジケータレンズ１９の下方部の左側部には切欠３３が形成されている。表示部２５には、左ターンシグナル表示、ハイビーム表示、４ウェイフラッシャー表示、および半ドア警告表示といった４種類の意匠透光部が配置されており、これら４種類の意匠透光部が、第１，第２，第３，第４インジケータ照明光源部３６，３７，３８，３９によってそれぞれ透過表示される。
【００３６】
第２インジケータ部１４は、右側ハウジング４４に配置されている。第２インジケータ部１４には、右側ハウジング４４の表面に対し凹んだレンズ組付用凹部２８が形成されており、このレンズ組付用凹部２８の上方部に第１インジケータ部１３の第１，第２位置決め突起１５，１６とはオフセットした位置に配置された一対の第３，第４位置決め突起１７，１８が突出形成されている。また、レンズ組付用凹部２８の下方部に４分割された複数の第５，第６，第７，第８インジケータ照明光源部４５，４６，４７，４８が形成され、そして右側壁３０の下方部に切欠受３２が形成されている。
【００３７】
レンズ組付用凹部２８は、第１インジケータ部１４と同様に、第２インジケータレンズ２０の厚さよりも小さい深さを有する。また、第３，第４位置決め突起１７，１８は、レンズ組付用凹部２８の深さよりも大きい高さを有する。
【００３８】
第５，第６，第７，第８インジケータ照明光源部４５，４６，４７，４８は、円周上にほぼ９０度の範囲をもって上下左右に独立して配置されている。これら第５，第６，第７，第８インジケータ照明光源部４５，４６，４７，４８内には、ＬＥＤ等の光源４９，５０，５１，５２（図２参照）が収容されている。ここで、第５インジケータ照明光源部４５は、右ターンシグナル信号を点灯した際の表示に用いられ、第６インジケータ照明光源部４６は、充電警告回路が作動した際の表示に用いられ、第７インジケータ照明光源部４７は、リアフォグランプを点灯した際の表示に用いられ、そして第８インジケータ照明光源部４８は、ブレーキ警告回路が作動した際の表示に用いられる。
【００３９】
第２インジケータレンズ２０は、第１インジケータレンズ１９と同一の樹脂製板部材により比較的薄く成形され、その不透光本体に意匠透光部を備えた表示部２６を有している。この第２インジケータレンズ２０は、その上方部に第２インジケータ部１４の第３，第４位置決め突起１７，１８に対応した第３，第４位置決め孔２３，２４を有し、そしてその下方部に、表示部２６を有している。また、第２インジケータレンズ２０の下方部の右側部には切欠３４が形成されている。表示部２６には、右ターンシグナル表示、充電警告表示、リアフォグ表示、およびブレーキ警告表示といった４種類の意匠透光部が配置されており、これら４種類の意匠透光部が、第５，第６，第７，第８インジケータ照明光源部４５，４６，４７，４８によってそれぞれ透過表示される。
【００４０】
図２に示されるように、第１インジケータ照明光源部３６に収容された光源４０は、左ターンシグナル信号制御回路（不図示）に電気的に接続されているため、左ターンシグナル信号制御回路が作動した際に点滅（点灯）する。また、第２インジケータ照明光源部３７に収容された光源４１は、ハイビーム点灯回路（不図示）に電気的に接続されているため、ハイビーム点灯回路が作動した際に点灯する。また、第３インジケータ照明光源部３８に収容された光源４２は、４ウェイフラッシャー点灯回路（不図示）に電気的に接続されているため、４ウェイフラッシャー点灯回路が作動した際に点灯する。そして、第４インジケータ照明光源部３９に収容された光源４３は、半ドア警告回路（不図示）に電気的に接続されているため、半ドア警告回路が作動した際に点灯する。
【００４１】
第５インジケータ照明光源部４５に収容された光源４９は、右ターンシグナル信号制御回路（不図示）に電気的に接続されているため、右ターンシグナル信号制御回路が作動した際に点滅（点灯）する。また、第６インジケータ照明光源部４６に収容された光源５０は、充電警告回路（不図示）に電気的に接続されているため、充電警告回路が作動した際に点灯する。また、第７インジケータ照明光源部４７に収容された光源５１は、ブレーキ警告回路（不図示）に電気的に接続されているため、ブレーキ警告回路が作動した際に点灯する。そして、第８インジケータ照明光源部４８に収容された光源５２は、リアフォグランプ点灯回路（不図示）に電気的に接続されているため、リアフォグランプ点灯回路が作動した際に点灯する。
【００４２】
第１インジケータ部１３の第１位置決め突起１５は、第１インジケータ部１３の中心線Ａ１から距離Ｌ１だけ離れた位置に配置され、これに対して、第１インジケータ部１３の第２位置決め突起１６は、中心線Ａ１から、距離Ｌ１よりも大きい距離Ｌ２だけ離れた位置に配置されている。そして、第１位置決め突起１５と第２位置決め突起１６とは、距離Ｌ３だけ離れて、中心線Ａ１に直交する単一の直線Ｂ１上に配置されている。そして、第１インジケータレンズ１９の第１，第２位置決め孔２１，２２は、第１，第２位置決め突起１５，１６に対応して配置されている。
【００４３】
第２インジケータ部１４の第３位置決め突起１７は、第２インジケータ部１４の中心線Ａ２から距離Ｌ４だけ離れた位置に配置され、これに対して、第２インジケータ部１４の第４位置決め突起１８は、中心線Ａ２から、距離Ｌ４よりも小さい距離Ｌ５だけ離れた位置に配置されている。また、第３位置決め突起１７と第４位置決め突起１８とは、距離Ｌ６だけ離れて配置されており、第３位置決め突起１７は、中心線Ａ２に直交し、第１，第２位置決め突起１５，１６を通過する単一の直線Ｂ１の上方に距離Ｌ７だけ離れて配置され、第４位置決め突起１８は、単一の直線Ｂ１の下方に距離Ｌ８だけ離れて配置されている。そして、第２インジケータレンズ２０の第３，第４位置決め孔２３，２４は、第３，第４位置決め突起１７，１８に対応して配置されている。このように、第１，第２位置決め突起１５，１６と、第３，第４位置決め突起１７，１８とは、上述したオフセット量で互いにオフセットして配置されている。
【００４４】
このようなインジケータレンズの組付構造では、第１インジケータレンズ１９を第１インジケータ部１３に組付けるに際し、まず、レンズ組付用凹部２７上に第１インジケータレンズ１９を配置し、第１インジケータレンズ１９の切欠３３を切欠受３１に合わせながら、第１，第２位置決め孔２１，２２に第１，第２位置決め突起１５，１６を挿入していく。そして、第１インジケータレンズ１９の第１，第２位置決め孔２１，２２に第１，第２位置決め突起１５，１６が完全挿入されることにより、第１インジケータレンズ１９が第１インジケータ部１３に組付けられる。第１インジケータレンズ１９が第１インジケータ部１３に組付けられることにより、第１インジケータ部１３の第１，第２，第３，第４インジケータ照明光源部３６，３７，３８，３９が、第１インジケータレンズ１９の表示部２５における、左ターンシグナル表示、ハイビーム表示、４ウェイフラッシャー表示、半ドア警告表示に一致する。
【００４５】
このとき、第１インジケータレンズ１９に代えて第２インジケータレンズ２０を第１インジケータ部１３のレンズ組付用凹部２７に組付けようとすると、第３，第４位置決め孔２３，２４が第１，第２位置決め突起１５，１６に一致しないとともに、第２インジケータレンズ２０の切欠３４が切欠受３１に合わないために、第２インジケータレンズ２０が間違って組付けられようとしていることが作業者に認識される。
【００４６】
次に、第２インジケータレンズ２０を第２インジケータ部１４に組付けるに際し、まず、レンズ組付用凹部２８上に第２インジケータレンズ２０を配置し、第２インジケータレンズ２０の切欠３４を切欠受３２に合わせながら、第３，第４位置決め孔２３，２４に第３，第４位置決め突起１７，１８を挿入していく。そして、第２インジケータレンズ２０の第３，第４位置決め孔２３，２４に第３，第４位置決め突起１７，１８が完全挿入されることにより、第２インジケータレンズ２０が第２インジケータ部１４に組付けられる。第２インジケータレンズ２０が第２インジケータ部１４に組付けられることにより、第２インジケータ部１４の第５，第６，第７，第８インジケータ照明光源部４５，４６，４７，４８が、第２インジケータレンズ２０の表示部２６における、右ターンシグナル表示、充電警告表示、ブレーキ警告表示、リアフォグ表示に一致する。
【００４７】
このとき、第２インジケータレンズ２０に代えて第１インジケータレンズ１９を第２インジケータ部１４のレンズ組付用凹部２８に組付けようとすると、第１，第２位置決め孔２１，２３が第３，第４位置決め突起１７，１８に一致しないとともに、第１インジケータレンズ１９の切欠３３が切欠受３２に合わないために、第１インジケータレンズ１９が間違って組付けられようとしていることが作業者に認識される。
【００４８】
第１，第２インジケータレンズ１９，２０が第１，第２ンジケータ部１３，１４に組付けられた後に、右・左ハウジング３５，４４の間に、速度計や回転計等の主計器（不図示）が組付けられ、それらの上側に、主計器部分と表示部２５，２６部分のみが開口したメータナセル（不図示）が被着される。
【００４９】
このように、本実施形態のインジケータレンズの組付構造によれば、第１インジケータ部１３の第１，第２位置決め突起１５，１６に対して第２インジケータレンズ２０の第３，第４位置決め孔２３，２４は一致せず組み込むことができず、そして、第２インジケータ部１４の第３，第４位置決め突起１７，１８に対して第１インジケータレンズ１９の第１，第２位置決め孔２１，２２が一致せず組み込むことができない。従って、第１インジケータレンズ１９が第１インジケータ部１３にのみ組付けられ、そして第２インジケータレンズ２０が第２インジケータ部１４にのみ組付けられるので、誤組付けを確実に防止して品質の保証を図ることができる。
【００５０】
また、本実施形態のインジケータレンズの組付構造によれば、第１，第２インジケータレンズ１９，２０に異なる複数の意匠透光部からなる表示部２５，２６を設けていても、第１インジケータレンズ１９が第１インジケータ部１３にのみ組付けられ、そして第２インジケータレンズ２０が第２インジケータ部１４にのみ組付けられるので、インジケータ照明光源部１１の点灯に伴って、異なった意匠透光部を透過表示してしまうことなく正規の意匠透光部を透過表示することができる。
【００５１】
また、本実施形態のインジケータレンズの組付構造によれば、第１インジケータ部１３の第１，第２位置決め突起１５，１６が中心線Ａ１から異なる距離Ｌ１，Ｌ２だけ離れた位置に配置され、そして第２インジケータ部１４の第３，第４位置決め突起１７，１８が中心線Ａ２から距離Ｌ１，Ｌ２とは異なる距離Ｌ４，Ｌ５だけ離れた位置に配置されることにより両者がオフセット配置されるため、このオフセット配置により、第１インジケータレンズ１９が第１インジケータ部１３にのみ組付けられ、そして第２インジケータレンズ２０が第２インジケータ部１４にのみ組付けられる。
【００５２】
また、本実施形態のインジケータレンズの組付構造によれば、第１インジケータ部１３の第１，第２位置決め突起１５，１６が中心線Ａ１から異なる距離Ｌ１，Ｌ２だけ離れた位置に配置され、そして第２インジケータ部１４の第３，第４位置決め突起１７，１８が中心線Ａ２から距離Ｌ１，Ｌ２とは異なる距離Ｌ４，Ｌ５だけ離れた位置に配置されるのに加えて、第１インジケータ部１３の第１，第２位置決め突起１５，１６が単一直線Ｂ１上に配置され、そして第２インジケータ部１４の第３，第４位置決め突起１７，１８が単一直線Ｂ１から離れた距離Ｌ７，Ｌ８の位置に配置されるため、これらのオフセット配置により、第１インジケータレンズ１９が第１インジケータ部１３にのみ組付けられ、そして第２インジケータレンズ２０が第２インジケータ部１４にのみ組付けられる。
【００５３】
また、本実施形態のインジケータレンズの組付構造によれば、第１，第２インジケータレンズ１９，２０の第１，第２インジケータ部１３，１４への組付けを外形合わせで行なうことができるので、熟練を不要にし、容易に組付けることができる。
【００５４】
また、本実施形態のインジケータレンズの組付構造によれば、第１，第２インジケータレンズ１９，２０の第１，第２インジケータ部１３，１４への外形合わせの組付けの際に、位置決め補助用の切欠受３１，３２と切欠３３，３４とが組み合わされることにより、更に確実な組付けを行なうことができる。
【００５５】
尚、本発明に係るインジケータレンズの組付構造は、上述した実施形態に限定されるものではなく、適宜な変形、改良、等が可能である。
【００５６】
例えば、インジケータ部の数、インジケータレンズの数は、図示した一対の２個に限らず、３個であっても、それ以上であってもよい。
【００５７】
また、ハウジングは、図示した別体のものに代えて、一体構造のものでもよい。
【００５８】
また、表示部における各意匠透光部は、図示した例の４意匠透光部毎の他、車両の仕様等により、例えば、ＡＢＳ警告表示、燃料残量表示、シートベルト警告表示、ディーゼルエンジン車の場合のグロー表示、等が適宜選択される。
【図面の簡単な説明】
【００５９】
【図１】本発明に係るインジケータレンズの組付構造の一実施形態を示す外観斜視図である。
【図２】図１の平面図である。
【図３】インジケータレンズの組付構造の一例を示す要部正面図である。
【図４】インジケータレンズの組付構造の他の例を示す平面図である。
【符号の説明】
【００６０】
１０                          インジケータ部
１１，３６，３７，３８，３９  インジケータ照明光源部
１２                          インジケータレンズ
１３                          第１インジケータ部
１４                          第２インジケータ部
１５                          第１位置決め突起（位置決め突起）
１６                          第２位置決め突起（位置決め突起）
１７                          第３位置決め突起（位置決め突起）
１８                          第４位置決め突起（位置決め突起）
１９                          第１インジケータレンズ
２０                          第２インジケータレンズ
２１                          第１位置決め孔（位置決め孔）
２２                          第２位置決め孔（位置決め孔）
２３                          第３位置決め孔（位置決め孔）
２４                          第４位置決め孔（位置決め孔）
２５，２６                    表示部
２７，２８                    レンズ組付用凹部
３１，３２                    切欠受
３３，３４                    切欠
４５，４６，４７，４８        インジケータ照明光源部
【図１】
2005127944.tif 000003
【図２】
2005127944.tif 000004
【図３】
2005127944.tif 000005
【図４】
2005127944.tif 000006